(57)【要約】【課題】大電力干渉の有無により、ＯＦＤＭ信号それぞれに適した干渉波の除去を行う干渉波除去装置を提供することにある。【解決手段】本発明の干渉波除去装置は、出力電力最小基準アルゴリズムにより、複数のアンテナ素子各々の重み係数を最適化する出力電力最小化部と、使用しているチャネルの帯域外の干渉波の強度を検出し、Ｄ／Ｕ推定を行うＤ／Ｕ推定部と、前記強度が予め設定した閾値未満の場合、前記出力電力最小化部に対し、信号を受信するアンテナ素子の重み係数を最適化させ、一方前記強度が前記閾値以上の場合、前記アンテナ素子の重み係数を保持する受信信号生成制御部とを有する。【選択図】図１
2010226512.tif 000002
【特許請求の範囲】
【請求項１】
出力電力最小基準アルゴリズムにより、複数のアンテナ素子各々の重み係数を最適化する出力電力最小化部と、
使用しているチャネルの帯域外の干渉波の強度を検出し、Ｄ／Ｕ推定を行うＤ／Ｕ推定部と、
前記強度が予め設定した閾値未満の場合、前記出力電力最小化部に対し、信号を受信するアンテナ素子の重み係数を最適化させ、一方前記強度が前記閾値以上の場合、前記アンテナ素子の重み係数を保持する受信信号生成制御部と
を有することを特徴とすることを特徴とする干渉波除去装置。
【請求項２】
前記Ｄ／Ｕ推定部が、ＯＦＤＭシンボル長の予め設定した整数倍の長さを有する時間窓関数を用いて信号をサンプリングし、サンプリングした信号の周波数変換を行うことにより、キャリアとして使用している周波数帯域の外部である帯域外における干渉信号の強度である干渉信号強度と、キャリアとして使用している帯域内におけるデータ信号の強度であるデータ信号強度と求め、当該干渉信号強度及びデータ信号強度とを用いてＤ／Ｕを求めることを特徴とする請求項１に記載の干渉波除去装置。
【請求項３】
前記Ｄ／Ｕ推定部が、帯域外の周波数範囲における前記干渉信号強度の平均値である第１の周波数平均を求め、帯域内の周波数範囲における前記データ信号強度の平均値である第２の周波数平均を求め、前記第２の周波数平均から前記第１の周波数平均を減算し、この減算結果を第１の周波数平均で除算し、この除算結果をＤ／Ｕの推定値として出力することを特徴とする請求項２に記載の干渉波除去装置。
【請求項４】
前記Ｄ／Ｕ推定部が、
予め測定した前記時間窓関数によりサンプリングした信号の第１の周波数変換パターンと、Ｄ／Ｕの値とを対応させたＤ／Ｕ推定テーブルを記憶する記憶部を有し、受信した信号を前記時間窓関数によりサンプリングして得られる第２の周波数パターンに対し、最も類似した第１の周波数変換パターンを検索し、検索された第２の周波数パターンに対応して記憶部に記憶されているＤ／Ｕの値を、Ｄ／Ｕの推定値として出力することを特徴とする請求項２に記載の干渉波除去装置。
【請求項５】
前記複数のアンテナ素子の組合せにより複数のダイバーシチブランチが構成されており、
前記Ｄ／Ｕ推定部がダイバーシチブランチ毎のＤ／Ｕの推定値を求め、
前記受信信号制御部が、
前記ダイバーシチブランチそれぞれのＤ／Ｕの推定値と予め設定された前記閾値とを比較し、Ｄ／Ｕの推定値が前記閾値以上の場合、対応するダイバーシチブランチの重みを拘束し、Ｄ／Ｕの推定値が前記閾値未満の場合、対応するダイバーシチブランチの重みの拘束を解除し、前記出力電力最小化部に受信信号を生成させ、全てのダイバーシチブランチのＤ／Ｕ推定値が前記閾値未満の場合、Ｄ／Ｕ推定値が最大のダイバーシチブランチの重みのみを拘束し、それ以外のダイバーシチブランチの重みの拘束を解除することを特徴とする請求項１から請求項４のいずれかに記載の干渉波除去装置。
【請求項６】
出力電力最小化部が、出力電力最小基準アルゴリズムにより、複数のアンテナ素子各々の重み係数を最適化する出力電力最小化過程と、
Ｄ／Ｕ推定部が使用しているチャネルの帯域外の干渉波の強度を検出し、Ｄ／Ｕ推定を行うＤ／Ｕ推定過程と、
受信信号生成制御部が、前記強度が予め設定した閾値未満の場合、前記出力電力最小化部に対し、信号を受信するアンテナ素子の重み係数を最適化させ、一方前記強度が前記閾値以上の場合、前記アンテナ素子の重み係数を保持する受信信号生成制御過程と
を有することを特徴とすることを特徴とする干渉波除去方法。
【発明の詳細な説明】
【技術分野】
【０００１】
本発明は、ＯＦＤＭ（Orthogonal Frequency Division Multiplexing）システムにおいて、周波数軸上において隣接するチャネルからの干渉波を除去して所望波を受信する干渉波除去装置及び方法に関する。
【背景技術】
【０００２】
ＯＦＤＭシステムにおいては、アンテナ素子により受信した受信信号から、ＯＦＤＭ信号におけるＯＦＤＭシンボル各々のシンボル同期タイミングを、ＯＦＤＭ信号のパケットの先端に設けられたプリアンブルなどを利用して検出している。このシンボル同期タイミングにおいて、ＯＦＤＭシンボルに対してＦＦＴを行うタイミングを高精度に同期させることで受信信号の復号を行っている（例えば、特許文献１参照）。
しかしながら、周波数軸上にて隣接して存在するチャネルからの大電力のスプリアス干渉波（Ｄ／Ｕ＝−２０ｄＢ程度であって、不要波などの不必要な成分により生じる干渉波であり、以下、大電力干渉波とする）が存在する場合、上述したシンボル同期タイミングを検出することができず、参照信号を利用したＭＭＳＥ（Minimum Mean Square Error）などによる干渉除去ができない。
【先行技術文献】
【特許文献】
【０００３】
【特許文献１】特開２００６−１８６４２１号公報
【発明の概要】
【発明が解決しようとする課題】
【０００４】
そのため、参照信号を用いずに大電力干渉を抑圧するため、ＳＩＲ（Signal to Interference Ratio）を入力と出力とで反転させることができる出力電力最小化法、例えばＰＩＡＡ（Power Inversion Adaptive Array ）を適用することは一つの有効な手段である。
ここで、上述した出力電力最小化法をむやみに適用させてしまうと、所望波のみが到来して、干渉波が存在しないか非常に低いレベルの場合、この到来している所望波を抑圧してしまうという問題がある。
【０００５】
本発明は、このような事情に鑑みてなされたもので、その目的は、大電力干渉の有無により、ＯＦＤＭ信号それぞれに適した干渉波の除去を行う干渉波除去装置を提供することにある。
すなわち、この発明は、干渉のためＭＭＳＥが適用できない場合、出力電力最小化法にもとづく干渉波除去を受信信号に行う干渉波除去装置を提供することを目的としている。
【課題を解決するための手段】
【０００６】
本発明の干渉波除去装置は、ＯＦＤＭ信号を受信する複数のアンテナ素子と、出力電力最小基準アルゴリズムにより前記ＯＦＤＭ信号に含まれる干渉波を抑圧して受信信号として出力する出力電力最小化部と、前記複数のアンテナ素子各々の受信したＯＦＤＭ信号を加算し、重み付け合成を行い受信信号として出力するアンテナ出力合成部と、使用しているチャネルの帯域外の干渉波の強度を検出し、Ｄ／Ｕ推定を行うＤ／Ｕ推定部と、前記強度が予め設定した閾値未満の場合、前記出力電力最小化部に干渉波を除去させ、一方前記強度が前記閾値以上の場合、前記アンテナ出力合成部に受信信号を生成させる受信信号生成制御部とを有することを特徴とする。
【０００７】
本発明の干渉波除去装置は、前記Ｄ／Ｕ推定部が、ＯＦＤＭシンボル長の予め設定した整数倍の長さを有する時間窓関数を用いて信号をサンプリングし、サンプリングした信号の周波数変換を行うことにより、キャリアとして使用している周波数帯域の外部である帯域外における干渉信号の強度である干渉信号強度と、キャリアとして使用している帯域内におけるデータ信号の強度であるデータ信号強度と求め、当該干渉信号強度及びデータ信号強度とを用いてＤ／Ｕを求めることを特徴とする。
【０００８】
本発明の干渉波除去装置は、前記Ｄ／Ｕ推定部が、帯域外の周波数範囲における前記干渉信号強度の平均値である第１の周波数平均を求め、帯域内の周波数範囲における前記データ信号強度の平均値である第２の周波数平均を求め、前記第２の周波数平均から前記第１の周波数平均を減算し、この減算結果を第１の周波数平均で除算し、この除算結果をＤ／Ｕの推定値として出力することを特徴とする。
【０００９】
本発明の干渉波除去装置は、前記Ｄ／Ｕ推定部が、予め測定した前記時間窓関数によりサンプリングした信号の第１の周波数変換パターンと、Ｄ／Ｕの値とを対応させたＤ／Ｕ推定テーブルを記憶する記憶部を有し、受信した信号を前記時間窓関数によりサンプリングして得られる第２の周波数パターンに対し、最も類似した第１の周波数変換パターンを検索し、検索された第２の周波数パターンに対応して記憶部に記憶されているＤ／Ｕの値を、Ｄ／Ｕの推定値として出力することを特徴とする。
【００１０】
本発明の干渉波除去装置は、前記複数のアンテナ素子の組合せにより複数のダイバーシチブランチが構成されており、前記Ｄ／Ｕ推定部がダイバーシチブランチ毎のＤ／Ｕの推定値を求め、前記受信信号制御部が、前記ダイバーシチブランチそれぞれのＤ／Ｕの推定値と予め設定された前記閾値とを比較し、Ｄ／Ｕの推定値が前記閾値以上の場合、対応するダイバーシチブランチの重みを拘束し、Ｄ／Ｕの推定値が前記閾値未満の場合、対応するダイバーシチブランチの重みの拘束を解除し、前記出力電力最小化部に受信信号を生成させ、全てのダイバーシチブランチのＤ／Ｕ推定値が前記閾値未満の場合、Ｄ／Ｕ推定値が最大のダイバーシチブランチの重みのみを拘束し、それ以外のダイバーシチブランチの重みの拘束を解除することを特徴とする。
【００１１】
本発明の干渉波除去方法は、出力電力最小化部が、出力電力最小基準アルゴリズムにより、複数のアンテナ素子各々の重み係数を最適化する出力電力最小化過程と、Ｄ／Ｕ推定部が使用しているチャネルの帯域外の干渉波の強度を検出し、Ｄ／Ｕ推定を行うＤ／Ｕ推定過程と、受信信号生成制御部が、前記強度が予め設定した閾値未満の場合、前記出力電力最小化部に対し、信号を受信するアンテナ素子の重み係数を最適化させ、一方前記強度が前記閾値以上の場合、前記アンテナ素子の重み係数を保持する受信信号生成制御過程とを有することを特徴とする。
【発明の効果】
【００１２】
この発明によれば、必要なデータを送信する所望波と、不必要な不要波の成分とにより生じる干渉波とのＤ／Ｕの大きさを簡易な方法により測定し、干渉波除去を行う手法として、出力電力最小化法を行うか否かを選択することにより、Ｄ／Ｕが小さいときには（干渉波が大きいときには）出力電力最小化法により各アンテナ信号の重み付け合成を行い、Ｄ／Ｕが大きいときには出力電力最小化法を行わずに、シンボル同期タイミングを取得した後、ＯＦＤＭシンボル長にてＦＦＴを行い、各アンテナ信号のサブキャリア毎にＭＭＳＥによる重み付け合成を行うことにより、干渉波の大きさにより干渉波除去を行うため、従来に比較して容易に高精度で干渉波除去が可能となり、ＯＦＤＭ信号におけるシンボル同期を取得することが可能となる。
【図面の簡単な説明】
【００１３】
【図１】本発明の第１及び第２の実施形態による干渉波除去装置を用いたＯＦＤＭ受信装置の構成例を示すブロック図である。
【図２】時間窓関数により切り取られた時間幅のＯＦＤＭ信号をフーリエ変換した周波数毎のスペクトル強度からなるパターンの概念を示す概念図である。
【図３】図１における干渉波除去部５の構成例を示すブロック図である。
【図４】本発明の第１の実施形態による干渉波除去装置を用いたＯＦＤＭ受信機の動作例を示すフローチャートである。
【発明を実施するための形態】
【００１４】
＜第１の実施形態＞
以下、図面を参照して、本発明の第１の実施形態について説明する。図１は、この発明の一実施形態による干渉波除去装置を用いたＯＦＤＭ受信装置の構成例を示す概略ブロック図である。本実施形態のＯＦＤＭ受信装置は、周波数フィルタ部１、直交検波部２、Ａ／Ｄ変換部３、ＦＦＴ部４、干渉波除去部５及び復調部６を有している。
【００１５】
周波数フィルタ部１は、予め設定されている周波数帯域の周波数成分のみを、アンテナ素子から受信された受信信号から抽出、すなわちＯＦＤＭ信号伝送帯域が抜き出されて次段の直交検波部２へＯＦＤＭ信号として出力する。ここで、周波数フィルタ部１の特性によりＯＦＤＭ信号伝送帯域外として隣接する周波数帯域の一部が含まれて抜き出される。
また、ＯＦＤＭ信号伝送帯域に隣接する、ＯＦＤＭ信号伝送帯域外の周波数帯域を、後述する計算に用いるため、ある程度含むように周波数フィルタ部１のフィルタリングする周波数を設定するようにしても良い。
直交検波部２は、入力されるＯＦＤＭ信号を実時間信号からＩ信号（Ｉｃｈ）及びＱ信号（Ｑｃｈ）からなる複素時間信号に変換し、次段のＡ／Ｄ変換部３へ出力する。
Ａ／Ｄ変換部３は、上記Ｉ信号及びＱ信号をＡ／Ｄ変換し、Ａ／Ｄ変換した信号を、干渉除去が必要か否かを判定するため、次段のＦＦＴ部４へ出力する。
【００１６】
ＦＦＴ部４は、ＯＦＤＭ信号に対してフーリエ変換を行い、すなわち時間領域から周波数領域への変換を行い、この変換結果が次段の干渉波除去部５へ出力される。ここで、ＦＦＴ部４は、ＯＦＤＭ信号伝送帯域のみでなく、隣接するＯＦＤＭ信号伝送帯域外の周波数帯域を含む範囲に対してフーリエ変換を行う。ここで、ＦＦＴ部４は、フーリエ変換させる時間幅をサンプリングする場合、ＯＦＤＭ信号を予め設定した時間窓関数をかけてサンプリングする。この時間窓関数はガウス窓あるいはハミング窓などを用い、帯域外の信号を測定する際、なるべく帯域内の信号の影響を受けないようにする。また、時間窓関数の時間幅は、フーリエ変換の分解能を向上させるため、フーリエ変換を行う時間間隔として複数シンボル長、例えば４シンボル長として設定する。
【００１７】
したがって、ＦＦＴ部４は、ＯＦＤＭ信号のパケットのパイロット（パケットにおけるプリアンブルであり、Same symbol patternを部分）の領域において複数シンボルの時間幅の区間を切り出し、図２に示すように、周波数毎のスペクトル強度のパターンとして、ＯＦＤＭ信号伝送帯域と、この帯域に隣接するＯＦＤＭ信号伝送帯域外との各周波数におけるスペクトル強度のパターンを出力する。
また、ＦＦＴ部４は、後述する干渉波除去部５によってＤ／Ｕが改善された後、ＯＦＤＭ信号のパケットにおいて、残りのプリアンブルのパイロットによりシンボル同期タイミグを取得し、このシンボル同期タイミングにより各シンボルのシンボル同期を取り、上記Ｉ信号及びＱ信号それぞれのシンボル毎のフーリエ変換を行い、復調部６へ出力する。
【００１８】
干渉波除去部５は、フーリエ変換された周波数毎のスペクトル強度により、Ｄ／Ｕ推定を行い、Ｄ／Ｕの数値により出力電力最小化法による干渉波除去を行うか否かを判定し、ＯＦＤＭ信号に含まれている干渉波の除去を行うため、出力電力最小化基準により、各アンテナ素子の出力に乗算する重み係数を算出する。図示しない乗算器が、この重み係数を各アンテナ素子の出力に乗算し、乗算結果がＦＦＴ部４に入力される。
復調部６は、干渉波の除去が行われたＯＦＤＭ信号に対し、シンボル同期タイミングにより、ＦＦＴ部４によってＦＦＴを行うことで復調処理が行われ、復調された信号を出力する。
【００１９】
次に、図３により上記干渉波除去部５を詳細に説明する。図３は、図１における干渉波除去部５の構成例を示す概念図である。
干渉波除去部５は、出力電力最小化部５１、受信信号生成制御部５２、Ｄ／Ｕ推定部５３及び記憶部５４とを有している。
【００２０】
Ｄ／Ｕ推定部５３は、ＦＦＴ部４から入力されてくるＯＦＤＭ信号伝送帯域内と、ＯＦＤＭ信号伝送帯域外とにおける周波数毎のスペクトル強度により、希望波(Desired Signal)と不要波(Undesired Signal)の比であるＤ／Ｕを算出する。
すなわち、Ｄ／Ｕ推定部５３は、例えば、記憶部５４に周波数毎にスペクトル強度を一旦記憶させる。
そして、Ｄ／Ｕ推定部５３は、記憶部５４から周波数毎のスペクトル強度を順次読みだし、ＯＦＤＭ信号伝送帯域外の各周波数におけるスペクトル強度の第１の平均値を求めるとともに、ＯＦＤＭ信号伝送帯域の各周波数におけるスペクトル強度の第２の平均値を求める。ここで、全アンテナ素子の周波数毎のスペクトル強度を加算し、全アンテナ素子間における平均値として、第１及び第２の平均値を求める。
【００２１】
この第１の平均値は干渉波の平均値、すなわちＵの値を示し、第２の平均値は希望波に対して干渉波が重畳しているＵ＋Ｄの値をしている。したがって、第２の平均値から第１の平均値を減算し、この減算結果を第１の平均値を除算すれば、
{（Ｄ＋Ｕ）−Ｕ｝／Ｕ＝Ｄ／Ｕを算出することができる。
したがって、Ｄ／Ｕ推定部５３は、第１の平均値と第２の平均値とを算出し、{（Ｄ＋Ｕ）−Ｕ｝／Ｕの式を演算することにより、Ｄ／Ｕの数値を算出する。
【００２２】
受信信号生成制御部５２は、Ｄ／Ｕ推定部５３の求めたＤ／Ｕの数値が、予め設定した閾値以上か否かの判定を行い、Ｄ／Ｕの数値がこの閾値以上の場合、シンボル同期が取れるため、アンテナ素子に対する重み（重み係数）を現在の状態のまま、すなわち全て１とし、ＦＦＴ部４から入力される信号を復調部に対して出力する。
一方、受信信号生成制御部５２は、Ｄ／Ｕ推定部５３の求めたＤ／Ｕの数値が、予め設定した閾値未満の場合、シンボル同期が取れないため、出力電力最小化部５１を起動し、アンテナ素子に対する重みを、出力電力最小化部５１に最適化させる。
ここで、出力電力最小化部５１は、出力電力最小化基準により、各アンテナ素子の重みを最適とする計算を行い、干渉波除去の処理を行う。
【００２３】
上記出力電力最小化基準は、ブラインドアルゴリズム（参照信号を必要としない）で行われるものであり、所定の評価関数を最小にする解が０にならないように、アンテナ素子の１つの重みを１にしている。ここでは、入力される信号の総数とアンテナ素子数とは等しく、また所望波は１波であり、干渉電力≫所望波電力の関係にあることを仮定している。
このため、評価関数の解を０以外に設定して、希望波の出力を得るための拘束条件のもとで、各アンテナ素子の出力に重みを乗算し、出力電力が最小になるように、重み係数を設定する。そして、この出力電力の最小化を行なうと、希望信号の出力電力を確保するとともに、不要な干渉波の出力電力を低減させることができ、不要波の除去を行うことができる。
【００２４】
上述した干渉波除去の処理は、複数のシンボルからなるＯＦＤＭ信号に対し付加されたパイロット信号の時間範囲内にて行い、シンボル同期が取得できた後、ＦＦＴ部４はシンボル長に対応した時間幅の時間窓関数を用いて、ＯＦＤＭ信号のサンプリングを行い、各シンボル長毎に周波数変換を行う。
【００２５】
上述したＤ／Ｕ推定部５３において、ＯＦＤＭ信号伝送帯域の各周波数におけるスペクトル強度の第１の平均値と、ＯＦＤＭ信号伝送帯域外の各周波数におけるスペクトル強度の第２の平均値とを求め、Ｄ／Ｕ推定を行っていたが、以下に示す処理によりＤ／Ｕ推定を行うようにしても良い。
予め複数シンボルの時間範囲にてフーリエ変換を行った周波数毎のスペクトル強度の参照パターンを、そのときのＤ／Ｕの数値に対応させて予め記憶させておく。
【００２６】
そして、受信信号生成制御部５２は、ＦＦＴ部４から入力される周波数毎のスペクトル強度のパターンと類似する上記参照パターンを記憶部５４から検索し、最も類似する参照パターンに対応するＤ／Ｕの数値を、Ｄ／Ｕの推定値として出力する。ここで、参照パターン及びＦＦＴ部から入力される周波数毎のスペクトル強度のパターンを、それぞれのパターンにおけるスペクトル強度の最大値により除算して規格化して比較を行う。類似したものの検出は、例えば、それぞれ対応する周波数のスペクトル強度の差分を求め、その差分の合計が最も小さくなるパターン同士が類似しているとする。
【００２７】
次に、図１、図２及び図４を用いて、本実施形態のＯＦＤＭ受信機の動作を説明する。ここで、図４は、本実施形態によるＯＦＤＭ受信機の動作例を示すフローチャートである。
周波数フィルタ部１は、受信したＯＦＤＭ信号を、予め設定した周波数帯域（ＯＦＤＭ信号伝送帯域とこれに隣接するある周波数範囲のＯＦＤＭ信号伝送帯域外の周波数帯域）によりフィルタリングし、次段の直交検波部２へ出力する（ステップＳ１）。
直交検波部２は、入力されるＯＦＤＭ信号を実時間信号からＩ信号（Ｉｃｈ）及びＱ信号（Ｑｃｈ）からなる複素時間信号に変換し、次段のＡ／Ｄ変換部へ出力する。
ＯＦＤＭ信号が入力されると、Ａ／Ｄ変換部２は、ＯＦＤＭ信号に対してＡ／Ｄ変換を行い、Ａ／Ｄ変換されてデジタル化されたＯＦＤＭ信号を次段のＦＦＴ４に対して出力する（ステップＳ２）。
【００２８】
ＦＦＴ部４は、複数シンボル長の時間幅を有する時間窓関数を、検波されたＯＦＤＭ信号にかけてサンプリングし、サンプリングされたＯＦＤＭ信号に対してフーリエ変換を行い（ステップＳ３）、得られた周波数毎のスペクトル強度からなるパターンを次段の干渉波除去部５に対して出力する。
上記パターンが入力されると、干渉波除去部において、Ｄ／Ｕ推定部５３は、全アンテナ素子のパターンにおいて、周波数毎に各パターンのスペクトル強度を加算した後、ＯＦＤＭ信号伝送帯域外におけるスペクトル強度の第１の平均値（Ｕ）と、ＯＦＤＭ信号伝送帯域内におけるスペクトル強度の第２の平均値（Ｄ＋Ｕ）とを求め、{（Ｄ＋Ｕ）−Ｕ｝／Ｕ＝Ｄ／Ｕの式により、Ｄ／Ｕの数値を算出し（ステップＳ４）、この算出した数値をＤ／Ｕの推定値として、受信信号生成制御部５２へ出力する。
【００２９】
そして、受信信号生成制御部５２は、記憶部５４に予め設定されていた閾値を読みだし、この閾値（設定値）と、入力されたＤ／Ｕの推定値との比較を行い（ステップＳ５）、Ｄ／Ｕの推定値が閾値未満であれば処理をステップＳ６へ進め、Ｄ／Ｕの推定値が閾値以上であれば処理をステップＳ７へ進める。
【００３０】
Ｄ／Ｕの推定値が閾値未満の場合、出力電力最小化部５１は、出力電力最小化基準に対応したすでに述べた処理に基づき、各アンテナ素子の重みを最適化し、干渉波除去を行う（ステップＳ６）。
上述したステップＳ２からステップＳ６までの処理は、ＯＦＤＭ信号のパケットにおけるプリアンブルにおけるパイロットのシンボルが配置されている領域の範囲において行われ、以降のパケットのデータのシンボルにおいては、Ｄ／Ｕが改善された状態にて、ＦＦＴ部４がシンボル同期を取り、シンボル毎にその時間幅においてフーリエ変換を行い、周波数毎のスペクトル強度のパターン（サブキャリア）を生成し、復調部６へそのシンボルのパターンを順次出力する。
【００３１】
そして、復調部６は、ＦＦＴ部４から入力されるシンボル毎の上記パターンを用いて、シンボルの復調処理を行う（ステップＳ７）。
【００３２】
＜第２の実施形態＞
以下、図面を参照して、本発明の第２の実施形態について説明する。第２の実施形態における干渉波除去装置を用いたＯＦＤＭ受信装置の構成は、第１の実施形態と同様である。
以下、第２の実施形態が第１の実施形態と異なる構成及び動作について説明する。
第１の実施形態においては、アンテナ素子間のフェージング相関が高い（アダプティブアレーのようにアンテナ素子が半波長間隔にて配置されている）場合、すでに述べた出力電力アンテナ最小化法により、Ｄ／Ｕ値を入力と出力とで反転、すなわちアンテナ素子から受信されるＯＦＤＭ信号から干渉波を有効に除去することができる。
【００３３】
しかしながら、ダイバーシチブランチ（例えば、スペースダイバーシチではブランチ間のフェージング相関が低くなるようにアンテナ素子間隔を設定）を適用した場合、アンテナ素子間のフェージング相関が低い。例えば、２ブランチを仮定すると、Ｄ／Ｕの大きいブランチの重みを１にして拘束し、Ｄ／Ｕの小さいブランチの重みを拘束しないことにより、ＰＩＡＡと同様のことが生じ、Ｄ／Ｕの小さいブランチのＳＩＲが逆転して重み付け合成出力のＳＩＲとなる。以下、本実施形態においては、ブランチは１つのアンテナ素子から構成されているとして説明する。
【００３４】
このため、Ｄ／Ｕ推定部５３は、第１の実施形態にて行ったＤ／Ｕ推定を各アンテナ素子毎に行う。
また、受信信号生成制御部５２は、閾値以上のＤ／Ｕの数値を有するアンテナ素子の重みを拘束し、閾値未満のＤ／Ｕの数値を有するアンテナ素子の重みを拘束せずに、出力電力最小化の処理を出力電力最小化部５１に行わせる。
また、全アンテナ素子が閾値未満のＤ／Ｕである場合、上述したように、Ｄ／Ｕが最大のアンテナ素子の重みのみを拘束し、他のアンテナ素子の重みの拘束を解除することで、出力電力最小化を行う。
そして、出力電力最小化部５１は、出力電力最小化法により、拘束されていないアンテナ素子の重みのみを求め、希望波の出力を得るための拘束条件（拘束されているアンテナ素子は重みを変化させず、拘束されていないアンテナ素子の重み係数を変更）のもとで、各アンテナ素子の出力に重みを乗算し、出力電力が最小になるように、拘束されていないアンテナ素子の重み係数を設定する。
これ以降の処理については、第１の実施形態と同様に行われる。
【００３５】
上述したように、アダプティブアレーのように半波長の間隔でアンテナ素子を配置した構成において、Ｄ／Ｕの数値がそれほど悪く無い場合、例えばＤ／Ｕの数値が閾値近傍にて干渉波のスペクトル強度が高い場合、アンテナ素子間のフェージング相関が高いため、出力電力最小化法によって、アンテナ素子の重みを最適化したとしても、Ｄ／Ｕの数値を向上させることが出来ないことが想定される。
このため、ダイバーシチブランチとなるアンテナ素子配置を行い、アンテナ素子間のフェージング相関を低下させることにより、アンテナ素子の重みを最適化する際、アンテナ素子間のフェージング相関が無いために、いずれかのアンテナ素子のＤ／Ｕの数値が向上する確率が高くなり、全ダイバーシチブランチにおけるＤ／Ｕの数値をより向上させることができる。さらに、干渉波の強度が低い場合には、一般的な効果としてダイバーシチゲインが得られる。
【００３６】
また、図１におけるアンテナ出力電力最小化部５１、Ｄ／Ｕ推定部５３と受信信号生成制御部５２との機能を実現するためのプログラムをコンピュータ読み取り可能な記録媒体に記録して、この記録媒体に記録されたプログラムをコンピュータシステムに読み込ませ、実行することにより干渉波除去の処理を行ってもよい。なお、ここでいう「コンピュータシステム」とは、ＯＳや周辺機器等のハードウェアを含むものとする。
【００３７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３８】
以上、この発明の実施形態を図面を参照して詳述してきたが、具体的な構成はこの実施形態に限られるものではなく、この発明の要旨を逸脱しない範囲の設計等も含まれる。
【符号の説明】
【００３９】
１…周波数フィルタ部
２…直交検波部
３…Ａ／Ｄ変換部
４…ＦＦＴ部
５…干渉波除去部
６…復調部
５１…出力電力最小化部
５２…受信信号生成制御部
５３…Ｄ／Ｕ推定部
５４…記憶部
【図１】
2010226512.tif 000003
【図２】
2010226512.tif 000004
【図３】
2010226512.tif 000005
【図４】
2010226512.tif 000006